(57)【要約】      （修正有）【課題】いずれの方向に対しても可動を抑制し、部品を固定、保持させることが可能となる取り付け構造を備えた空気調和機を提供する。【解決手段】空気調和機は、筺体に設けられたボス部１０１と、ボス部１０１を収納可能な収容部（例えば、前面、上面、下面、背面と、右側面で囲まれた空間）が内側に設けられた係合部材１０２を有する取付部品（例えば、電装品箱）とを有し、係合部材１０２は、収容部の入口に凸部（例えば、弾性リブ）を有し、ボス部１０１の外面は、凸部により係止される。【選択図】図５
2018136095.tif 000002
【特許請求の範囲】
【請求項１】
筺体に設けられたボス部と、
前記ボス部を収納可能な収容部が内側に設けられた係合部材を有する取付部品とを有し、
前記係合部材は、前記収容部の入口に凸部を有し、
前記ボス部の外面は、前記凸部により係止される
ことを特徴とする空気調和機。
【請求項２】
前記ボス部に螺子穴を有し、
前記係合部材に螺子用開口部を有し、
前記筺体をカバーする筺体カバーを取り付ける取付用螺子は、前記螺子用開口部を通し、前記螺子穴に固定される
ことを特徴とする請求項１に記載の空気調和機。
【請求項３】
前記係合部材は、弾性材で形成されている
ことを特徴とする請求項１に記載の空気調和機。
【請求項４】
前記係合部材は、前記ボス部が挿入される開口面を有する略直方体形状である
ことを特徴とする請求項１に記載の空気調和機。
【請求項５】
前記開口面に対向する面に開口部が設けられている
ことを特徴とする請求項４に記載の空気調和機。
【請求項６】
前記開口面に隣接する対向する面にそれぞれ前記凸部を有する
ことを特徴とする請求項４に記載の空気調和機。
【請求項７】
前記係合部材は、樹脂で形成されている
ことを特徴とする請求項１に記載の空気調和機。
【請求項８】
前記取付部品は、電装品箱である
ことを特徴とする請求項１に記載の空気調和機。
【発明の詳細な説明】
【技術分野】
【０００１】
本発明は、空気調和機に関する。
【背景技術】
【０００２】
空気調和機の室内機では、筐体ベースとカバーによりその外郭が形成され、その内部に熱交換機、貫流ファン、ファンモータ、電装品箱などの主要部品と、それらを固定するための部材を備えている。それぞれの部品を固定する方法としては、螺子（ネジ）による固定や、部品に設けた爪などを係合させて固定するなど様々な方法がとられている。
【０００３】
特許文献１には、「ファンモータ、ベアリングの取り付け構造において、キャビネットに落下防止用のストッパーを設けることにより、キャビネット単体でファンモータ、ベアリングを保持できる構造とする」ことが記載されている。
【０００４】
特許文献２には、「空気調和装置の筺体内に収納される電気品箱の取付構造において、筐体の下部壁には電気品箱の下面に設けられた凹部と係合する不動爪が設けられ、筐体の上部壁には電気品箱の上面に設けられた突起と逆止係合する弾性爪が設けられ、これらの爪係合により電気品箱を筺体に固定する」ことが記載されている。
【先行技術文献】
【特許文献】
【０００５】
【特許文献１】特開平８−１７８３３９号公報
【特許文献２】特開平１１−１７３５９８号公報
【発明の概要】
【発明が解決しようとする課題】
【０００６】
特許文献１のように、ストッパーを設けることで部品を保持することは、螺子やカバーなどの固定部材を必要とせず有用な手段である。これらはファンモータやベアリングの保持に限らず、その他の部品を取り付ける構造にも用いることが可能である。例えば電装品箱を筐体ベースに固定する方法として、螺子による固定の他、特許文献２のように、引っ掛け部や爪により係合させて固定する方法が用いられている。
【０００７】
電装品箱の固定を、ストッパーを用いた取り付け構造とすることで、螺子を必要とせず、部品点数の削減や作業工数の削減が可能となる。特許文献１に示す構造においては、貫流ファンの両側に備えたファンモータ、ベアリングをストッパーで保持することで成された構造であるが、ストッパーによりファンモータ、ベアリングの取り付け方向である室内機正面から見て手前側への可動を抑制できる。また、キャビネットにより室内機奥側および室内機天面、底面側への可動が抑制される。
【０００８】
しかしながら、ファンモータの軸方向となる室内機左右方向に対しては、ファンモータとベアリング双方を備えた構造により可動を抑制しているため、その一方の部品のみだけの場合など、例えば電装品箱の固定部に用いる場合では可動を抑制することができない。このため、その一部品のみで固定をする際は、いずれの方向から力が加わった場合でも可動してしまわないように、それぞれの方向に対して固定、保持させる必要がある。
【０００９】
そこで、本発明では、前記の課題を解決するための発明であって、いずれの方向に対しても可動を抑制し、部品を固定、保持させることが可能となる取り付け構造を備えた空気調和機を提供することを目的とする。
【課題を解決するための手段】
【００１０】
前記目的を達成するため、本発明の空気調和機は、筺体に設けられたボス部と、ボス部を収納可能な収容部（例えば、前面１０２ａ、上面１０２ｂ、下面１０２ｃ、背面１０２ｄと、右側面１０２ｅで囲まれた空間）が内側に設けられた係合部材を有する取付部品（例えば、電装品箱７）とを有し、係合部材は、収容部の入口に凸部（例えば、弾性リブ１０２ｆ）を有し、ボス部の外面は、凸部により係止されることを特徴とする。本発明のその他の態様については、後記する実施形態において説明する。
【発明の効果】
【００１１】
本発明によれば、いずれの方向に対しても可動を抑制し、部品を固定、保持させることが可能となる。
【図面の簡単な説明】
【００１２】
【図１】実施形態に係る空気調和機の室内機を示す構成図である。
【図２】図１に示す筐体ベースに取り付ける電装品箱の外観を示す斜視図である。
【図３】図１に示す筐体ベースに取り付ける電装品箱を示す側面図であり、（ａ）は左側面図、（ｂ）は右側面図である。
【図４】電装品箱の内部構成を示す説明図である。
【図５】図１に示す筐体ベースと電装品箱の取り付け方法を示す説明図である。
【図６】図１に示す筐体ベースと電装品箱の係合部材を示す概略側面図である。
【図７】図６に示すＡ−Ａ断面図である。
【図８】ボス部と係合部材との係合状態を示す実装写真である。
【図９】ボス部と係合部材の他の例を示す概略側面図である。
【発明を実施するための形態】
【００１３】
本発明を実施するための実施形態について、適宜図面を参照しながら詳細に説明する。
図１は、実施形態に係る空気調和機の室内機１を示す構成図である。図１において、説明の都合上、空気の吹出し側を前として説明する。室内機１は、筐体ベース２と、筐体カバー３とを備え、室内機１の外郭を形成している。さらに、その内部には、熱交換器４と、貫流ファン５と、ファンモータ６と、電装品箱７とを備えている。筐体カバー３は、筐体ベース２に螺子部８によって固定される。ここでは、筐体ベース２への取り付け部品として電装品箱７を例に説明する。電装品箱７は、筐体ベース２の右端に配設される。電装品箱７の取り付け時に配設容易性が要求され、しかも、メンテナンス時のメンテナンス性の容易さも要求される。このため、電装品箱７の右側面のカバーを外すと、制御基板が見える位置に配設される。
【００１４】
図２は、図１に示す筐体ベース２に取り付ける電装品箱７の外観を示す斜視図である。図３は、図１に示す筐体ベース２に取り付ける電装品箱７を示す側面図であり、（ａ）は左側面図、（ｂ）は右側面図である。図４は、電装品箱７の内部構成を示す説明図である。
【００１５】
図２において、電装品箱７は、その外郭に延焼防止のための鉄板製の箱体７ａ、蓋部７ｅを備え、室外機（ここでは図示しない）との接続線を取り付けるための端子台７ｂや、電装品箱７の内部に収納する制御基板を取り付けるために、樹脂成形品である基板サポート７ｃを備える。基板サポート７ｃには、筐体ベース２（図１参照）に備えたボス部１０１（係合受部、図５参照）に取り付けるための係合部材１０２を備える。また、電装品箱７の上部後方には、筐体ベース２に引っ掛ける係止部７ｄを有している。
【００１６】
図３（ａ）の左側面図において、基板サポート７ｃの下端に係合部材１０２を有する。図３（ａ）において、係合部材１０２は、図面の手前側が、ボス部１０１（図５参照）を挿入するための開口された面である開口面１０３（図５参照）であり、その面以外の面は、前面１０２ａ、上面１０２ｂ、下面１０２ｃ、背面１０２ｄと、図３（ａ）の奥側となる右側面１０２ｅを備えた構造となっている。係合部材１０２は、ボス部１０１を収納可能な収容部（例えば、前面１０２ａ、上面１０２ｂ、下面１０２ｃ、背面１０２ｄと、右側面１０２ｅで囲まれた空間）が内側に設けられている。なお、背面１０２ｄは、基板サポート７ｃの一部として上下方向に対し傾けて斜面とし、ボス部１０１が後方に移動するのを防止する止め部材の役目をしている。
【００１７】
図３（ｂ）の右側面図において、右側面１０２ｅの一部には、複数の開口部１０２ｈが設けられている。この開口部１０２ｈにより、係合部材１０２の弾性を向上させるとともに、電装品箱７を取り外す際に使用するメンテナンス用の開口部に使用する。
【００１８】
図４に示す右側面図は、電装品箱７の蓋を開けた状態を示す。基板サポート７ｃは、係合部材１０２を含め一体成型の樹脂で形成されていることがわかる。メンテナンス作業員は、図１に示す筐体カバー３を外すと、電装品箱７を右側面から見ることができ、電装品箱７の蓋を開けた状態で、内部の制御基板をみることができる。
【００１９】
次に図５〜図７を参照して電装品箱７の取り付け方法を説明する。
図５は、図１に示す筐体ベース２と電装品箱７の取り付け方法を示す説明図である。図５は、電装品箱７を筐体ベース２に取り付ける直前の状態を示す図であり、図の矢印の向きに可動させることで固定する。筐体ベース２は、樹脂成型品であり、その一部に電装品箱７を取り付けるためのボス部１０１を備える。
【００２０】
図６は、図１に示す筐体ベース２と電装品箱７の係合部材を示す概略側面図である。図３は、室内機１を左側面から見た場合の、係合部材１０２周辺を示す。前記したように、図６の図面の手前側が、ボス部１０１に固定するための開口された面である開口面１０３（図５参照）であり、その面以外の面は、前面１０２ａ、上面１０２ｂ、下面１０２ｃ、背面１０２ｄと、図３の奥側となる右側面１０２ｅ（図７参照）を備えた構造となっている。
【００２１】
この係合部材１０２により、開口面１０３（図５参照）以外の面においては、前面１０２ａ、上面１０２ｂ、下面１０２ｃ、背面１０２ｄと、右側面１０２ｅにより可動が制限され、開口面１０３が設けられた方向にのみ可動することが可能であり、ボス部１０１と係合部材１０２とを着脱可能としている。
【００２２】
次に、以上のような構造の場合、開口面１０３側への可動が可能であるが、単純に開口しただけではボス部１０１と係合部材１０２が容易に外れてしまう。そこで、係合部材１０２の開口面１０３に直交する前面１０２ａ、上面１０２ｂ、下面１０２ｃ、背面１０２ｄのいずれか、またはその複数に、弾性リブ１０２ｆを設けることで、開口面１０３側に容易に外れ難くし、任意の着脱を可能とすることができる。
【００２３】
図７は、図６に指示している断面図Ａ−Ａであり、弾性リブ１０２ｆを示す図である。弾性リブ１０２ｆは、前面１０２ａ（図６参照）、上面１０２ｂ、下面１０２ｃ、背面１０２ｄ（図６参照）のいずれか、または複数に設けられ、その設置位置に制限はないが、開口面１０３（図５参照）の端面に近く（ボス部１０１の挿入入口の近く）、また、係合部材１０２を形成する面（例えば、上面１０２ｂ、下面１０２ｃ）の内部の中心に近い位置に設置することで、より弾性の効果を得ることが可能となる（図５および図６参照）。
【００２４】
図８は、ボス部１０１と係合部材１０２との係合状態を示す実装写真である。ボス部１０１が、係合部材１０２の内部に収納され（収容部に収容され）、係合部材１０２の収容部の入口の凸部である弾性リブ１０２ｆにより、ボス部１０１の外面は、凸部により確実に係止されていることがわかる。
【００２５】
なお、本実施形態においては、ボス部１０１に略円形状を用いているが、これはボス部１０１と係合部材１０２との着脱をよりスムーズに行うためであり、ボス部１０１の形状を限定するものではない。例えば、四角形状をベースとし、その四隅にフィレット（角を丸く落とす形状）を設けてもよい。この場合、図７に示すように、フィレットの半径（面取り半径）と弾性リブ１０２ｆの掛かり寸法Ｈとの関係は、フィレットの半径Ｒ＞掛かり寸法Ｈ、とすることが望ましい。
【００２６】
本実施形態において、電装品箱７には、前記に挙げたように端子台７ｂに室外機との接続線を取り付ける作業や、電装品箱７の内部に収納された制御基板にファンモータ６（図１参照）などの電線を接続する作業が必要であり、その作業方向に対して力が加わることになる。これに対し、ボス部１０１と係合部材１０２の固定方向を合わせることで、それぞれの部品を固定、保持することが可能となる。
【００２７】
具体的に説明すると、本実施例における構造では、端子台７ｂは、室内機１（図１参照）の正面を向いて配置され、接続線の作業性から端子台７ｂの下部に備えられた電線挿入部を前面に出すように傾けて配置されている。このため、端子台７ｂへの接続作業では、室内機の正面から見て、上下方向および前後方向に力が加わることになる。
【００２８】
これに対し、図１に示すファンモータ６などの電線を電装品箱７内部の制御基板に接続する場合は、室内機１の右側面から作業を行うため、室内機１の正面から見て左右方向に力が加わることになる。
【００２９】
電装品箱７に力が掛かるものは、主に以上の作業となるが、前述に挙げた端子台７ｂへの接続作業が最も力が加わる作業である。これに対し、図２に示す端子台７ｂへの接続作業で加わる上下方向および前後方向には、係合部材１０２に設けた前面１０２ａ、上面１０２ｂ、下面１０２ｃ、背面１０２ｄと、右側面１０２ｅを合わせるように配置することで、大きな力が加わった場合でも確実に固定、保持することが可能となる。
【００３０】
また、ファンモータ６（図１参照）などの電線の接続で加わる左右方向の力は、前述の端子台７ｂに力に対して非常に小さいものとなる。このため、係合部材１０２の開口面１０３側、つまり弾性リブ１０２ｆ（図７参照）を合わせて配置することで、いずれの作業に対しても部品の固定、保持することが可能である。
【００３１】
なお、図５に示す本実施形態において、ボス部１０１と係合部材１０２による取り付け構造を形成しているが、それぞれに螺子穴１０１ａおよび螺子用開口部１０２ｇを設けることで、螺子による固定も可能とすることができる。この場合、固定のための螺子が追加となってしまうが、図１に示す筐体カバー３は筐体ベース２に取り付けた後に螺子８による固定が必要となるため、この螺子８を使用して、ボス部１０１に設けた螺子穴１０１ａと、係合部材１０２に設けた螺子用開口部１０２ｇとを、筐体カバー３と共に、一貫して螺子８により固定を行うことで、部品点数を増加させることなく固定することができる（図５参照）。つまり、本発明の効果の一つである、専用の螺子を使用しない構成が可能となる。
【００３２】
以上、本実施例の空気調和機は、図５に示すように、筐体ベース２にボス部１０１と、電装品箱７に係合部材１０２とを備え、前記係合部材１０２はその一面が開口され、図６および図７に示すように、その他の面は前面１０２ａ、上面１０２ｂ、下面１０２ｃ、背面１０２ｄと、右側面１０２ｅを設け、前面１０２ａ、上面１０２ｂ、下面１０２ｃ、背面１０２ｄのいずれかに弾性リブ１０２ｆを備えた。
【００３３】
前面１０２ａ、上面１０２ｂ、下面１０２ｃ、背面１０２ｄと、右側面１０２ｅと弾性リブ１０２ｆにより、専用の固定部品などを必要とせず、ボス部１０１と係合部材１０２とが固定・保持できる構造が可能となる。
【００３４】
さらに、図５に示すように、ボス部１０１に螺子穴１０１ａと、係合部材１０２に螺子用開口部１０２ｇとを設け、筐体カバー３を固定するための螺子８（図１参照）を共用して螺子止めを行うことで、専用の固定部品を追加することなく好適な取り付け構造が可能となる。
【００３５】
本実施形態の空気調和機は、その内部に備えた部品相互を固定する取り付け構造において、その一方に固定のベースとなるボス部１０１を備え、他方にボス部１０１と係合する係合部材１０２を備える。係合部材１０２においては、ボス部１０１が取り付けられる一方向のみを開口させ、その他の方向にはその全て、またはその一部に静止壁（例えば、前面１０２ａ、上面１０２ｂ、下面１０２ｃ、背面１０２ｄと、右側面１０２ｅ）を設け、開口した一方向のみしか可動できない構造を備える。また、開口した一方向に対しては前記静止壁の一部に凸部である弾性リブ１０２ｆ（図６および図７参照）を設けることで、開口方向への可動も制限し、容易に取り外すことができない構造を備える。本実施形態によれば、いずれの方向に対しても可動を抑制した部品の固定、保持が可能となる。
【００３６】
なお、本発明は前記した実施形態に限定されるものではなく、様々な変形例が含まれる。例えば、上記した実施例は本発明を分かりやすく説明するために詳細に説明したものであり、必ずしも説明した全ての構成を備えるものに限定されるものではない。
【００３７】
図９は、ボス部１０１Ａと係合部材１０２Ａの他の例を示す概略側面図である。図６において、背面１０２ｄは上下方向に対し斜面としているが、これに限定されるものではない。係合部材１０２Ａは、係合部材１０２と比較して、背面１０２ｄＡを上下方向とし、前面１０２ａと対向させてもよい。すなわち、係合部材１０２Ａは、開口面１０３を有する直方体の形状を有している。すなわち、直方体は、前面１０２ａ、上面１０２ｂ、下面１０２ｃ、背面１０２ｄＡと、右側面１０２ｅで形成される。本実施形態で、略直方体の係合部材１０２と称する際は、図６および図９を含むものとする。
【００３８】
本実施形態では、図１で取付部品として室内機１の電装品箱７について説明したが、室外機の電装品箱、室内機・室外機のセンサ類（例えば、撮像部、温度検知部）、空調制御端末（リモコン）に、本実施形態の取付構造を適用してもよい。
【符号の説明】
【００３９】
１    室内機
２    筐体ベース（筺体）
３    筐体カバー
４    熱交換器
５    還流ファン
６    ファンモータ
７    電装品箱
７ａ    箱体
７ｂ    端子台
７ｃ    基板サポート
７ｄ    係止部
７ｅ    蓋部
８    螺子
１０１    ボス部（係合受部）
１０１ａ    螺子穴
１０２    係合部材
１０２ａ    前面
１０２ｂ    上面
１０２ｃ    下面
１０２ｄ    背面
１０２ｅ    右側面
１０２ｆ    弾性リブ（凸部）
１０２ｇ    螺子用開口部
１０２ｈ    開口部
１０３    開口面
【図１】
2018136095.tif 000003
【図２】
2018136095.tif 000004
【図３】
2018136095.tif 000005
【図４】
2018136095.tif 000006
【図５】
2018136095.tif 000007
【図６】
2018136095.tif 000008
【図７】
2018136095.tif 000009
【図８】
2018136095.tif 000010
【図９】
2018136095.tif 000011